(57)【要約】【課題】簡素な構造で、火炎による外枠の変形を抑制し、防火性能を向上させることができるシャッター用ガイドレールの防火構造を提供する。【解決手段】シャッター用ガイドレール３７の防火構造において、開口部１３の外側で昇降するシャッターカーテン２１と、シャッターカーテン２１の昇降方向に延在し、シャッターカーテン２１のそれぞれの側部３５を挿入して案内するガイドレール２３と、ガイドレール２３に沿って延在し外壁１５に平行な取付片部６３が外壁１５に固定され取付片部６３に接続する外側板部５３がガイドレール２３の外側を支持するとともに、取付片部６３に接続される内側板部４７がガイドレール２３の内側を支持するアルミ製の外枠２５と、鋼材からなり取付片部６３とともに外壁１５に固定される固定片部６５を有し、この固定片部６５には内側板部４７の少なくとも一部分と平行に重ねられる支持片部６７が折り曲げられて形成される補強部材２７と、を設けた。【選択図】  図２
2019210680.tif 000002
【特許請求の範囲】
【請求項１】
外壁に開口する開口部を前記外壁の外側で昇降して覆うシャッターカーテンと、
前記シャッターカーテンの昇降方向に延在するとともに、前記シャッターカーテンのそれぞれの側部をスリットに挿入して昇降を案内する平断面視略コ字形状に形成される一対のガイドレールと、
前記ガイドレールに沿って延在し前記外壁に平行な取付片部が前記外壁に固定され、前記取付片部に接続する前記外壁に垂直な外側板部の先端が前記シャッターカーテンよりも前記ガイドレールの外側を支持するとともに、前記外側板部と反対側で前記取付片部に接続され前記外壁に垂直な内側板部の先端が前記シャッターカーテンよりも前記ガイドレールの内側を支持するアルミ製の外枠と、
鋼材からなり前記取付片部を挟んで前記取付片部とともに前記外壁に固定される固定片部を有し、この固定片部の前記外側板部と反対側の端には前記内側板部の少なくとも一部分と平行に重ねられる支持片部が折り曲げられて平断面視Ｌ字形状に形成される補強部材と、
を具備することを特徴とするシャッター用ガイドレールの防火構造。
【請求項２】
請求項１記載のシャッター用ガイドレールの防火構造であって、
前記補強部材が、前記外枠の延在方向に断続して複数箇所に配置されることを特徴とするシャッター用ガイドレールの防火構造。
【請求項３】
請求項２記載のシャッター用ガイドレールの防火構造であって、
複数の前記補強部材のそれぞれが、前記外枠の前記取付片部を前記外壁へ固定するための固定ビスにより前記取付片部とともに前記外壁に共締めされることを特徴とするシャッター用ガイドレールの防火構造。
【請求項４】
請求項１〜３のいずれか１つに記載のシャッター用ガイドレールの防火構造であって、
前記補強部材の前記支持片部が、前記共締めされる前に前記外枠の前記内側板部に予め固定されていることを特徴とするシャッター用ガイドレールの防火構造。
【発明の詳細な説明】
【技術分野】
【０００１】
本発明は、シャッター用ガイドレールの防火構造に関する。
【背景技術】
【０００２】
シャッターカーテンの両側縁を案内するガイドレールや、ガイドレールを支持する外枠は、アルミ合金などによる押出成形品が用いられることが多い。アルミ製のガイドレールや外枠は、意匠性を持たせることができ、また防錆性もあり住宅用には好適となる。反面、アルミ製のガイドレールや外枠は、火災発生時に過度の熱を受けると変形を起こし、さらには溶ける可能性があり、シャッター装置の本来の防火性能を十分に発揮できない虞がある。
【０００３】
そこで特許文献１のシャッター用ガイドレール構造は、ガイドレールの内側にスチール製の補強材を設けた抜け止め構造を備える。
【０００４】
また、特許文献２のシャッター用ガイドレールの防火構造は、ガイド部補強材の一方の係止先端縁部が、ガイド部の内表面の開口縁側における内面に形成された係止溝にガイド部の内側から係入される。ガイド部補強材の他方の係止先端部とガイド部とは、抜け止め片に対して抜け止め部材とは反対側の位置において、固定手段により固定される。ガイド部は、その壁部の一部がガイド部補強材と枠部に連結された内側補強材によって挟持されており、この挟持部分において、ガイド部、ガイド部補強材及び内側補強材が固定手段によって固定されている。
【先行技術文献】
【特許文献】
【０００５】
【特許文献１】特開２０１８−３５４３号公報
【特許文献２】特許第６２２７７１３号公報
【発明の概要】
【発明が解決しようとする課題】
【０００６】
しかしながら、特許文献１のシャッター用ガイドレール構造は、ガイドレール部分の内側のみにスチール製の抜け止め構造を有するため、火災でアルミ製の外枠の全体が変形、溶融しやすい課題がある。また、特許文献２のシャッター用ガイドレールの防火構造は、建物躯体からガイド部までを鋼材で連続して繋ぎたいための構造であるため、そのための鋼材部分を覆う化粧枠材などを有し、部品点数が多く、構造が複雑となり、重量が増加した。
【０００７】
本発明は上記状況に鑑みてなされたもので、その目的は、簡素な構造で、火炎による外枠の変形を抑制し、防火性能を向上させることができるシャッター用ガイドレールの防火構造を提供することにある。
【課題を解決するための手段】
【０００８】
次に、上記の課題を解決するための手段を、実施の形態に対応する図面を参照して説明する。
本発明の請求項１記載のシャッター用ガイドレール３７の防火構造は、外壁１５に開口する開口部１３を前記外壁１５の外側で昇降して覆うシャッターカーテン２１と、
前記シャッターカーテン２１の昇降方向に延在するとともに、前記シャッターカーテン２１のそれぞれの側部３５をスリット３９に挿入して昇降を案内する平断面視略コ字形状に形成される一対のガイドレール２３と、
前記ガイドレール２３に沿って延在し前記外壁１５に平行な取付片部６３が前記外壁１５に固定され、前記取付片部６３に接続する前記外壁１５に垂直な外側板部５３の先端が前記シャッターカーテン２１よりも前記ガイドレール２３の外側を支持するとともに、前記外側板部５３と反対側で前記取付片部６３に接続され前記外壁１５に垂直な内側板部４７の先端が前記シャッターカーテン２１よりも前記ガイドレール２３の内側を支持するアルミ製の外枠２５と、
鋼材からなり前記取付片部６３を挟んで前記取付片部６３とともに前記外壁１５に固定される固定片部６５を有し、この固定片部６５の前記外側板部５３と反対側の端には前記内側板部４７の少なくとも一部分と平行に重ねられる支持片部６７が折り曲げられて平断面視Ｌ字形状に形成される補強部材２７と、
を具備することを特徴とする。
【０００９】
このシャッター用ガイドレール３７の防火構造では、それぞれのガイドレール２３が、外枠２５を介して外壁１５に固定される。この外枠２５は、外壁１５に平行な取付片部６３が外壁１５に固定される。取付片部６３には、シャッターカーテン２１に近接する側の端と、その反対側の端に、外壁１５に垂直な外側板部５３及び内側板部４７が形成される。この内、外側板部５３は、先端がシャッターカーテン２１よりも外側のガイドレール２３を支持する。内側板部４７は、先端がシャッターカーテン２１よりも内側のガイドレール２３の一部を支持する。つまり、シャッターカーテン２１の両側の側部３５を案内するそれぞれのガイドレール２３は、アルミ製の外枠２５を介して外壁１５に固定される。外枠２５は、アルミ製とすることにより、シャッター用ガイドレール３７の意匠性や防錆性を高め、軽量化を可能とすることができる。ここで、シャッター用ガイドレール３７は、火災等により外側から火炎にさらされると、外枠２５の外側板部５３が最初に熱を受ける。外側板部５３は、入熱量が所定値を越えると、変形しやすくなる。外側板部５３は、この変形が生じると、ガイドレール２３に対する支持が解除され、ガイドレール２３と反対側へ開く。すなわち、取付片部６３を支点として外側へ開いた外側板部５３は、ガイドレール２３に対する支持機能が消失する。一方、内側板部４７は、外側板部５３と対向する空間部７３における内面が、鋼材からなる補強部材２７の支持片部６７により覆われている。内側板部４７は、アルミより融点の高い鋼材の補強部材２７により、シャッターカーテン２１と反対側の外側から押さえられることで、シャッターカーテン２１から離れる外側への変形が抑制される。このため、シャッター用ガイドレール３７は、補強部材２７が設けられていない場合に比べ、外枠２５の全体が外側へ変形することが抑制される。つまり、シャッター用ガイドレール３７は、補強部材２７のみを追加する簡素な構造で、防火性能が高められる。その結果、シャッターカーテン２１は、外枠２５の全体が外側へ変形し、ガイドレール２３のスリット３９からシャッターカーテン２１の側部３５が抜け出すことが抑制される。
【００１０】
本発明の請求項２記載のシャッター用ガイドレール３７の防火構造は、請求項１記載のシャッター用ガイドレール３７の防火構造であって、
前記補強部材２７が、前記外枠２５の延在方向に断続して複数箇所に配置されることを特徴とする。
【００１１】
このシャッター用ガイドレール３７の防火構造では、複数の補強部材２７が、ガイドレール２３に沿って間隔を有して取り付けられる。これにより、補強部材２７は、ガイドレール２３の全長に渡る長尺で形成される場合に比べ、総重量が軽量となる。
【００１２】
本発明の請求項３記載のシャッター用ガイドレール３７の防火構造は、請求項２記載のシャッター用ガイドレール３７の防火構造であって、
複数の前記補強部材２７のそれぞれが、前記外枠２５の前記取付片部６３を前記外壁１５へ固定するための固定ビス６９により前記取付片部６３とともに前記外壁１５に共締めされることを特徴とする。
【００１３】
このシャッター用ガイドレール３７の防火構造では、外枠２５を外壁１５へ取り付ける際、補強部材２７が外枠２５とともに固定ビス６９により共締めされて外壁１５へ固定される。このため、防火性能を高めるための補強部材２７を単独で外壁１５へ取り付ける作業や固定具が不要となる。
【００１４】
本発明の請求項４記載のシャッター用ガイドレール３７の防火構造は、請求項１〜３のいずれか１つに記載のシャッター用ガイドレール３７の防火構造であって、
前記補強部材２７の前記支持片部６７が、前記共締めされる前に前記外枠２５の前記内側板部４７に予め固定されていることを特徴とする。
【００１５】
このシャッター用ガイドレール３７の防火構造では、補強部材２７が、外枠２５の所定位置に予め固定される。補強部材２７は、固定片部６５が、外枠２５の取付片部６３と重ねられて固定ビス６９により外壁１５へ固定される。補強部材２７の固定片部６５と、外枠２５の取付片部６３とには、固定ビス６９が貫通するビス貫通孔７１が穿設される。補強部材２７は、このビス貫通孔７１を取付片部６３のビス貫通孔７１に一致させて、支持片部６７が外枠２５の内側板部４７に固定される。支持片部６７と内側板部４７との固定は、例えばリベット７５などにより行うことができる。これにより、補強部材２７は、特に手で支えることなく、固定片部６５と取付片部６３とのビス貫通孔７１に固定ビス６９を貫通させて外壁１５へ締結することで、外枠２５と同時に取り付けることができる。
【発明の効果】
【００１６】
本発明に係る請求項１記載のシャッター用ガイドレールの防火構造によれば、簡素な構造で、火炎による外枠の変形を抑制し、防火性能を向上させることができる。また、外枠の内側で補強構造を構成していることから、外枠の外観意匠性を低下させない。
【００１７】
本発明に係る請求項２記載のシャッター用ガイドレールの防火構造によれば、重量の増加を抑制しながら防火性能を向上させることができる。
【００１８】
本発明に係る請求項３記載のシャッター用ガイドレールの防火構造によれば、防火構造施工のための手間を軽減することができる。
【００１９】
本発明に係る請求項４記載のシャッター用ガイドレールの防火構造によれば、防火構造施工のための手間をなくすことができる。
【図面の簡単な説明】
【００２０】
【図１】本発明の実施の形態に係るシャッター用ガイドレールの防火構造を備えたシャッター装置の外観を表す斜視図である。
【図２】図１に示したガイドレール及び外枠の平断面図である。
【図３】ガイドレールを省略した外枠及び補強部材の正面図である。
【図４】図３に示した外枠及び補強部材の一部分を切り欠いた要部拡大斜視図である。
【図５】火炎により外側板部が開いたシャッター用ガイドレールの作用説明図である。
【図６】変形例に係るシャッター用ガイドレールの防火構造の要部平断面図である。
【図７】（ａ）は図６に示した変形例に係るシャッター用ガイドレールの防火構造のガイドレールを省略した正面図、（ｂ）は（ａ）のＡ−Ａ断面図である。
【発明を実施するための形態】
【００２１】
以下、本発明に係る実施の形態を図面を参照して説明する。
図１は本発明の実施の形態に係るシャッター用ガイドレールの防火構造を備えたシャッター装置１１の外観を表す斜視図である。
本実施の形態に係るシャッター用ガイドレールの防火構造は、例えば住宅など建物の開口部１３（図２参照）を覆うシャッター装置１１に好適に用いることができる。住宅の外壁１５には、開口部１３が設けられる。この開口部１３には、例えばサッシ窓１７が取り付けられる。シャッター装置１１は、サッシ窓１７の外側に取り付けられる。サッシ窓１７の取り付けられた開口部１３の上方には、シャッター装置１１の収納部１９が取り付けられる。
【００２２】
本実施の形態に係るシャッター用ガイドレールの防火構造は、シャッターカーテン２１と、ガイドレール２３と、外枠２５と、補強部材２７と、を主要な構成として有する。
【００２３】
シャッターカーテン２１は、外壁１５に開口する開口部１３を外壁１５の外側で昇降して覆う。つまり、シャッターカーテン２１は、サッシ窓１７を外壁１５の外側から覆う。シャッターカーテン２１は、アルミ製やスチール製のスラット２９を複数連結して構成される。
【００２４】
シャッターカーテン２１は、複数のスラット２９が、隣接する長手方向に沿う両端縁同士を係合することにより、巻回可能な面状に連結構成される。シャッターカーテン２１は、操り出し方向の先端となる下縁に、座板３１が取り付けられる。座板３１は、シャッターカーテン２１が下降した際、下枠３３に着座する。この座板３１の近傍には、収納部１９への引き込みを規制するためのストッパー（図示略）が設けられてもよい。
【００２５】
ガイドレール２３は、シャッターカーテン２１を挟んで、開口部１３の左右に一対が設けられる。ガイドレール２３は、シャッターカーテン２１の昇降方向に延在するとともに、シャッターカーテン２１のそれぞれの側部３５（図２参照）を表裏面から挟んで案内する。
【００２６】
図２は図１に示したガイドレール２３及び外枠２５の平断面図である。
シャッター用ガイドレールの防火構造は、ガイドレール２３と、外枠２５と、補強部材２７とが、シャッター用ガイドレール３７を構成する。
【００２７】
それぞれのガイドレール２３は、シャッターカーテン２１の側部３５をスリット３９に挿入して昇降を案内する平断面視略コ字形状に形成される。より具体的には、平断面視略コ字形状のガイドレール２３は、スリット開口側から外壁１５へ向かって垂直に突出する内固定片４１と、スリット開口側と反対側の背側から外壁１５と平行に突出する外係合片４３と、により平断面視略ｈ字形状に形成される。
【００２８】
ガイドレール２３の内固定片４１は、連結ビス４５が貫通可能となる。内固定片４１には、外枠２５の内側板部４７に形成された固定座部４９が連結ビス４５により固定される。また、ガイドレール２３の外係合片４３は、突出先端に係合溝５１を有する。この係合溝５１には、外枠２５の外側板部５３に形成された係合爪部５５が係合する。
【００２９】
ガイドレール２３のスリット開口５７を挟む対向内面には、消音帯取付溝５９が形成される。この消音帯取付溝５９には、シャッターカーテン２１の側部３５における表裏面に接するモヘア等の消音帯６１が取り付けられる。
【００３０】
ガイドレール２３には、アルミ合金などによる押出成形品を用いることができる。
【００３１】
外枠２５は、取付片部６３を有する。取付片部６３は、外壁１５に平行となって、ガイドレール２３に沿って延在する。取付片部６３は、シャッターカーテン側の端と、その反対側の端とに、平行に内側板部４７と外側板部５３とが接続される。
【００３２】
外側板部５３は、外壁１５に垂直に突出し、先端がシャッターカーテン２１よりもガイドレール２３の外側を支持する。この外側板部５３の先端には、上記の係合爪部５５が形成される。外側板部５３は、この係合爪部５５をガイドレール２３の外係合片４３に形成された係合溝５１に係合して、ガイドレール２３の外側を支持する。
【００３３】
内側板部４７は、外壁１５に垂直に突出した後、さらに直角に二回曲げされてＺ曲げ形状となる。内側板部４７は、先端がシャッターカーテン２１よりもガイドレール２３の内側を支持する。この内側板部４７の先端には、上記の固定座部４９が形成される。内側板部４７は、この固定座部４９にガイドレール２３の内固定片４１が連結ビス４５により締結され、ガイドレール２３の内側を支持する。
【００３４】
外枠２５には、これら取付片部６３、外側板部５３及び内側板部４７を一体に成形したアルミ合金などによる押出成形品を用いることができる。
【００３５】
補強部材２７は、固定片部６５を有する。固定片部６５は、外枠２５の取付片部６３を挟んで、取付片部６３とともに外壁１５に固定される。補強部材２７は、この固定片部６５の外側板部５３と反対側の端に、内側板部４７の少なくとも一部分と平行に重ねられる支持片部６７が折り曲げられている。従って、補強部材２７は、外壁１５に平行な固定片部６５に、外壁１５に垂直な支持片部６７が折り曲げられた平断面視Ｌ字形状に形成されている。
【００３６】
補強部材２７は、鋼材からなる。鋼材の材質としては、例えばＳＧＭＣＣを用いることができる。また、補強部材２７の板厚は、例えば１．２ｍｍ程度とすることができる。
【００３７】
図３はガイドレール２３を省略した外枠２５及び補強部材２７の正面図である。
本実施の形態において、シャッター用ガイドレールの防火構造は、補強部材２７が、外枠２５の延在方向に断続して複数箇所に配置される。補強部材２７は、延在方向の長さを６０〜１００ｍｍ程度で形成することができる。この場合、補強部材２７は、隣接する補強部材同士の間隔を例えば３５０ｍｍ程度のピッチで取り付けることができる。
【００３８】
なお、補強部材２７は、ガイドレール２３の長手方向の全長に渡って長尺で形成されていてもよい。この場合、シャッター用ガイドレール３７は、重量が増加するが、後述するように防火性能をさらに高めることができる。
【００３９】
図４は図３に示した外枠２５及び補強部材２７の一部分を切り欠いた要部拡大斜視図である。
シャッター用ガイドレールの防火構造は、複数の補強部材２７のそれぞれが、外枠２５の取付片部６３を外壁１５へ固定するための固定ビス６９により取付片部６３とともに外壁１５に共締めされる。補強部材２７は、取付片部６３に穿設した少なくとも１箇所のビス貫通孔７１に、固定ビス６９を貫通させて、固定片部６５とともに外壁１５に共締めされる。
【００４０】
次に、上記した構成の作用を説明する。
本実施の形態に係るシャッター用ガイドレールの防火構造では、シャッターカーテン２１の両側の側部３５が、それぞれガイドレール２３により案内される。シャッターカーテン２１は、両側の側部３５がガイドレール２３に案内されることにより、ガイドレール２３に沿って昇降し、開口部１３を開閉可能としている。
【００４１】
それぞれのガイドレール２３は、外枠２５を介して外壁１５に固定される。それぞれの外枠２５は、外壁１５に平行な取付片部６３が外壁１５に固定される。取付片部６３には、シャッターカーテン２１に近接する側の端と、その反対側の端に、外壁１５に垂直な外側板部５３及び内側板部４７が形成される。この内、外側板部５３は、先端がシャッターカーテン２１よりもガイドレール２３の外側を支持する。内側板部４７は、先端がシャッターカーテン２１よりもガイドレール２３の内側を支持する。
【００４２】
外側板部５３は、取付片部６３の外端で直角に折り曲げられて外壁１５から垂直に突出するように形成され、平断面視で略直線形状となる。内側板部４７は、取付片部６３の内端で折り曲げられて垂直となって外壁１５から突出した後にさらに曲げられ、平断面視で略Ｚ曲げ形状に形成される。外側板部５３と内側板部４７は、取付片部６３を挟んで双方が外壁１５から垂直に突出し、双方の間に空間部７３が形成される。この空間部７３は、外側板部５３の先端（係合爪部５５）と、内側板部４７の先端（固定座部４９）とにガイドレール２３が取り付けられることにより閉塞される。
【００４３】
つまり、シャッターカーテン２１の両側の側部３５を案内する一対のガイドレール２３は、それぞれがアルミ製の外枠２５を介して外壁１５に固定される。外枠２５は、アルミ製とすることにより、シャッター用ガイドレール３７の意匠性や防錆性を高め、軽量化を可能とすることができる。
【００４４】
シャッターカーテン２１は、両側の側部３５が外枠２５を介して外壁１５に支持されたガイドレール２３により案内されることにより、下降することで開口部１３を覆う。これにより、建物の開口部１３に設けられているサッシ窓１７を外壁１５の屋外側から覆うことができる。外枠２５は、シャッターカーテン２１が下降されると、外枠２５が屋外側に露出するのに対し、内側板部４７がシャッターカーテン２１の内側となって屋外からは遮断される。
【００４５】
図５は火炎により外側板部５３が開いたシャッター用ガイドレール３７の作用説明図である。
ここで、シャッター用ガイドレール３７は、火災等により外側から火炎にさらされると、外枠２５の外側板部５３が最初に熱を受ける。外側板部５３は、入熱量が所定値を越えると、すなわち、外枠の素材であるアルミ合金の融点に近づくと変形しやすくなる。
【００４６】
シャッター用ガイドレール３７は、火炎を受けると、特にアルミの部材が変形しやすくなるが、この時、シャッターカーテン２１を押さえている外枠２５がシャッターカーテン２１の荷重を受けたり、膨張・融解の影響を受けたりして、外側に開くように変形してしまう。外側板部５３は、この変形が生じると、ガイドレール２３に対する支持が解除され、ガイドレール２３と反対側へ開く。すなわち、取付片部６３を支点として外側へ開いた外側板部５３は、ガイドレール２３に対する支持機能が消失する。
【００４７】
一方、内側板部４７は、外側板部５３と対向する空間部７３における内面が、鋼材からなる補強部材２７の支持片部６７により覆われ、支持されている。内側板部４７は、アルミより融点の高い鋼材の補強部材２７により、シャッターカーテン２１と反対側の外側から押さえられることで、シャッターカーテン２１から離れる外側への変形が抑制される。
【００４８】
このように、シャッター用ガイドレール３７では、平断面視Ｌ字形状でスチールの補強部材２７を設けることで、外枠２５の全体が外側に開くことを防止している。この補強部材２７は、外枠２５を介して外壁１５に締結されていて、外枠２５が火炎の影響を受けて変形しやすくなっても、外枠２５の形状を保持することができる。
【００４９】
このため、シャッター用ガイドレール３７は、補強部材２７が設けられていない場合に比べ、外枠２５の全体が外側へ変形することが抑制される。つまり、シャッター用ガイドレール３７は、補強部材２７のみを追加する簡素な構造で、防火性能が高められる。その結果、シャッターカーテン２１は、外枠２５の全体が外側へ変形し、ガイドレール２３のスリット３９からシャッターカーテン２１の側部３５が抜け出すことが抑制される。
【００５０】
これにより、シャッター用ガイドレールの防火構造は、シャッターカーテン２１がガイドレール２３から外れて開放され、サッシ窓１７が直接火炎にさらされるまでの時間を遅延させることができる。
【００５１】
また、補強部材２７がガイドレール２３に沿って長尺に形成されている場合には、外側板部５３が開き、火炎が空間部７３へ侵入しても、火炎が内側板部４７へ直接当たらないように、補強部材２７の支持片部６７によって火炎を遮蔽することができる。これにより、シャッター用ガイドレール３７は、防火性能がさらに高められることになる。
【００５２】
このように、シャッター用ガイドレールの防火構造では、シャッターカーテン２１の側部３５を案内する特有の支持構造において、要所のみを鋼材の補強部材２７で補強することにより、意匠性を高めながら、少ない部品点数及び簡素な構造で且つ軽量化を損ねることなく、防火性能を高めることができる。
【００５３】
また、実施の形態に係るシャッター用ガイドレールの防火構造では、複数の補強部材２７が、ガイドレール２３に沿って間隔を有して取り付けられる。これにより、補強部材２７は、ガイドレール２３の全長に渡る長尺で形成される場合に比べ、総重量が軽量となる。その結果、重量の増加を抑制しながら防火性能を向上させることができる。
【００５４】
また、シャッター用ガイドレールの防火構造では、外枠２５を外壁１５へ取り付ける際、補強部材２７が外枠２５とともに固定ビス６９により共締めされて外壁１５へ固定される。このため、防火性能を高めるための補強部材２７を単独で外壁１５へ取り付ける作業や固定具が不要となる。その結果、防火構造施工のための手間を軽減することができる。
【００５５】
次に、上記した実施の形態の変形例に係る構成を説明する。
図６は変形例に係るシャッター用ガイドレールの防火構造の要部平断面図である。
この変形例に係るシャッター用ガイドレールの防火構造は、補強部材２７の支持片部６７が、共締めされる前に外枠２５の内側板部４７に予め固定されている。支持片部６７は、リベット７５などを用いて内側板部４７に固定できる。リベット７５の材質としては、例えばＳＵＳ３０５を用いることができる。
【００５６】
図７（ａ）は図６に示した変形例に係るシャッター用ガイドレールの防火構造のガイドレール２３を省略した正面図、（ｂ）は（ａ）のＡ−Ａ断面図である。
変形例に係るシャッター用ガイドレールの防火構造において、補強部材２７の固定片部６５と、外枠２５の取付片部６３とには、固定ビス６９の貫通するビス貫通孔７１が穿設される。補強部材２７は、このビス貫通孔７１を取付片部６３のビス貫通孔７１に一致させて、支持片部６７がリベット７５により外枠２５の内側板部４７に固定される。
【００５７】
この変形例に係るシャッター用ガイドレールの防火構造では、補強部材２７が、外枠２５の所定位置に予め固定される。補強部材２７は、固定片部６５が、外枠２５の取付片部６３と重ねられて固定ビス６９により外壁１５へ固定される。支持片部６７と内側板部４７との固定は、リベット７５などにより行われる。リベット７５は、内側板部４７の側を挿入側とすることにより見栄えを良くすることができる。これにより、補強部材２７は、特に手で支えることなく、固定片部６５と取付片部６３とのビス貫通孔７１に固定ビス６９を貫通させて外壁１５へ締結することで、外枠２５と同時に取り付けることができる。その結果、防火構造施工のための取付現場での手間をなくすことができる。
【００５８】
従って、本実施の形態に係るシャッター用ガイドレールの防火構造によれば、簡素な構造で、火炎による外枠２５の変形を抑制し、防火性能を向上させることができる。
【符号の説明】
【００５９】
１３…開口部
１５…外壁
２１…シャッターカーテン
２３…ガイドレール
２５…外枠
２７…補強部材
３５…側部
３７…シャッター用ガイドレール
３９…スリット
４７…内側板部
５３…外側板部
６３…取付片部
６５…固定片部
６７…支持片部
６９…固定ビス
【図１】
2019210680.tif 000003
【図２】
2019210680.tif 000004
【図３】
2019210680.tif 000005
【図４】
2019210680.tif 000006
【図５】
2019210680.tif 000007
【図６】
2019210680.tif 000008
【図７】
2019210680.tif 000009